(57)【要約】  本開示は、入力電圧の第１の電位及び第２の電位を有するエネルギー源用の、特に、熱電発生器用のエネルギー回収回路のためのスタータ回路を提供する。
2021513833.tif 000002
【特許請求の範囲】
【請求項１】
入力電圧の第１の電位及び第２の電位を有するエネルギー源用の、特に、熱電発生器用のエネルギー回収回路のためのスタータ回路であって、
第１の側及び第２の側を有する充電キャパシタ（１０７、２０７、３０７、４０７、５０７）と、
巻き始め及び巻き終わりを有する一次巻線及び二次巻線を有する第１の変圧器（１０３、２０３、３０３、４０３、５０３）と、
第１の始動トランジスタ（１０４、２０４、３０４、４０４、５０４）と、
第１のダイオード（１０６、２０６、３０６、４０６、５０６）と、
を備えるとともに、
前記第１の始動トランジスタ（１０４、２０４、３０４、４０４、５０４）のゲート端子が、前記第１の変圧器（１０３、２０３、３０３、４０３、５０３）の前記二次巻線の前記巻き始めに結合され、且つ、前記第１の始動トランジスタのドレイン端子が、前記第１の変圧器（１０３、２０３、３０３、４０３、５０３）の前記一次巻線の前記巻き終わりに接続され、
第１の発振器が、少なくとも前記第１の変圧器（１０３、２０３、３０３、４０３、５０３）及び前記第１の始動トランジスタ（１０４、２０４、３０４、４０４、５０４）によって形成され、
前記第１のダイオード（１０６、２０６、３０６、４０６、５０６）が、前記第１の変圧器（１０３、２０３、３０３、４０３、５０３）の前記二次巻線の前記巻き始めと、前記充電キャパシタ（１０７、２０７、３０７、４０７、５０７）との間に設けられ、
前記第１の始動トランジスタ（１０４、２０４、３０４、４０４、５０４）のソース端子が、前記入力電圧の前記第２の電位に結合され、
前記第１のダイオード（１０６、２０６、３０６、４０６、５０６）のアノードが、前記充電キャパシタ（１０７、２０７、３０７、４０７、５０７）の前記第２の側に接続され、
前記充電キャパシタ（１０７、２０７、３０７、４０７、５０７）の前記第１の側が、前記入力電圧の前記第１の電位にあり、
電圧が前記充電キャパシタ（１０７、２０７、３０７、４０７、５０７）の前記第２の側で生成され、前記電圧が前記入力電圧の前記第１の電位及び前記第２の電位未満であるエネルギー回収回路のためのスタータ回路において、
それぞれが巻き始め及び巻き終わりを有する一次巻線及び二次巻線を有する第２の変圧器（１５３、２５３、３５３、４５３、５５３）が設けられることと、
第２のダイオード（１５６、２５６、３５６、４５６、５５６）が設けられることと、
第２の始動トランジスタ（１５４、２５４、３５４、４５４、５５４）が設けられることと、
前記第２の始動トランジスタ（１５４、２５４、３５４、４５４、５５４）のゲート端子が、前記第２の変圧器（１５３、２５３、３５３、４５３、５５３）の前記二次巻線の前記巻き始めに結合され、且つ、前記第２の始動トランジスタのドレイン端子が、前記第２の変圧器（１５３、２５３、３５３、４５３、５５３）の前記一次巻線の前記巻き終わりに接続されることと、
第２の発振器が、少なくとも前記第２の変圧器（１５３、２５３、３５３、４５３、５５３）及び前記第２の始動トランジスタ（１５４、２５４、３５４、４５４、５５４）によって形成されることと、
前記第２のダイオード（１５６、２５６、３５６、４５６、５５６）が、前記第２の変圧器（１５３、２５３、３５３、４５３、５５３）の前記二次巻線の前記巻き始めと、前記充電キャパシタ（１０７、２０７、３０７、４０７、５０７）との間に設けられることと、
前記第２の始動トランジスタ（１５４、２５４、３５４、４５４、５５４）のソース端子が、前記入力電圧の前記第１の電位に結合されることと、
前記第２のダイオード（１５６、２５６、３５６、４５６、５５６）のアノードが、前記充電キャパシタ（１０７、２０７、３０７、４０７、５０７）の前記第２の側に接続されることと、
前記第１の始動トランジスタ（１０４、２０４、３０４、４０４、５０４）のバルク端子、及び前記第２の始動トランジスタ（１５４、２５４、３５４、４５４、５５４）のバルク端子が、前記充電キャパシタ（１０７、２０７、３０７、４０７、５０７）の前記第２の側に接続されることと、
を特徴とするエネルギー回収回路のためのスタータ回路。
【請求項２】
請求項１に記載のエネルギー回収回路のためのスタータ回路において、
第１の停止トランジスタ（１２２、２２２、３２２、４２２、５２２）及び第２の停止トランジスタ（１７２、２７２、３７２、４７２、５７２）が設けられることと、
前記第１の停止トランジスタ（１２２、２２２、３２２、４２２、５２２）及び前記充電キャパシタ（１０７、２０７、３０７、４０７、５０７）の前記第２の側の電圧が、前記第１の発振器を切断するために使用されることと、
前記第２の停止トランジスタ（１７２、２７２、３７２、４７２、５７２）及び前記充電キャパシタ（１０７、２０７、３０７、４０７、５０７）の前記第２の側の前記電圧が、前記第２の発振器を切断するために使用されることと、
前記第１の停止トランジスタ（１２２、２２２、３２２、４２２、５２２）のソース端子及び前記第２の停止トランジスタ（１７２、２７２、３７２、４７２、５７２）のソース端子が、前記充電キャパシタ（１０７、２０７、３０７、４０７、５０７）の前記第２の側に接続されることと、
を特徴とするエネルギー回収回路のためのスタータ回路。
【請求項３】
請求項１又は２に記載のエネルギー回収回路のためのスタータ回路において、
比較器（１３０、４３０、５３０）が設けられ、前記入力電圧の前記第１の電位又は前記第２の電位のどちらの方が高い電位であるかを検出することを特徴とするエネルギー回収回路のためのスタータ回路。
【請求項４】
請求項３に記載のエネルギー回収回路のためのスタータ回路において、
前記入力電圧の前記第１の電位が前記第２の電位よりも小さい場合に、前記比較器（１３０、４３０、５３０）の結果、及び前記第１の停止トランジスタ（１２２、４２２、５２２）によって前記第１の発振器を停止することができることと、
前記入力電圧の前記第２の電位が前記第１の電位よりも小さい場合に、前記比較器（１３０、４３０、５３０）の前記結果、及び前記第２の停止トランジスタ（１７２、４７２、５７２）によって、前記第２の発振器を停止することができることと、
を特徴とするエネルギー回収回路のためのスタータ回路。
【請求項５】
請求項２〜４のいずれか一項に記載のエネルギー回収回路のためのスタータ回路において、
電圧監視回路（１１１、４１１、５１１）が設けられることと、
閾値電圧に達すると、前記電圧監視回路（１１１、４１１、５１１）が前記第１の停止トランジスタ（１２２、４２２、５２２）又は前記第２の停止トランジスタ（１７２、４７２、５７２）によって、前記第１の発振器又は前記第２の発振器を切断するように設計されていることと、
を特徴とするエネルギー回収回路のためのスタータ回路。
【請求項６】
両用フライバックコンバータ回路において、
請求項１〜５のいずれか一項に記載のエネルギー回収回路のためのスタータ回路であって、第１の半導体スイッチ（４２０、５２０）及び第２の半導体スイッチ（４７０、５７０）を備えるとともに、
前記第１の半導体スイッチ（４２０、５２０）が、前記第１の変圧器（４０３、５０３）の前記一次巻線の前記巻き終わりと、前記入力電圧の前記第２の電位との間に設けられ、
前記第２の半導体スイッチ（４７０、５７０）が、前記第２の変圧器（４５３、５５３）の前記一次巻線の前記巻き終わりと、前記入力電圧の前記第１の電位との間に設けられ、
前記充電キャパシタ（４０７、５０７）によってエネルギーが供給されるコントローラ（４１６、５１６）が設けられ、
前記第１の変圧器（４０３、５０３）、前記充電キャパシタ（４０７、５０７）、前記第１のダイオード（４０６、５０６）、前記第１の半導体スイッチ（４２０、５２０）及び前記コントローラ（４１６、５１６）が、第１のフライバックコンバータを形成し、前記第２の変圧器（４５３、５５３）、前記充電キャパシタ（４０７、５０７）、前記第２のダイオード（４５６、５５６）、前記第２の半導体スイッチ（４７０、５７０）及び前記コントローラ（４１６、５１６）が、第２のフライバックコンバータを形成し、
前記フライバックコンバータが始動された後に、前記コントローラ（４１６、５１６）が、前記第１の半導体スイッチ（４２０、５２０）及び前記第２の半導体スイッチ（４７０、５７０）を制御するように設計されているエネルギー回収回路のためのスタータ回路を特徴とする両用フライバックコンバータ回路。
【請求項７】
請求項６に記載の両用フライバックコンバータ回路において、
第１のドライバ（４１７、５１７）及び第２のドライバ（４６７、５６７）が設けられているとともに、
前記比較器（４３０、５３０）の前記結果、並びに前記第１のドライバ（４１７、５１７）及び前記第２のドライバ（４６７、５６７）の両方によって、前記変圧器（４０３、５０３、４５３、５５３）の前記一次巻線の前記始めが前記入力電圧の前記第１の電位及び前記第２の電位のうちの高い方の電位に接続されている前記フライバックコンバータだけを動作させることが可能であることを特徴とする両用フライバックコンバータ回路。
【請求項８】
請求項６又は請求項７に記載の両用フライバックコンバータ回路において、
前記第１の半導体スイッチ（４２０、５２０）及び前記第２の半導体スイッチ（４７０、５７０）のバルク端子が、前記入力電圧の前記第１の電位及び前記第２の電位のうちの低い方の電位か、又は前記充電キャパシタ（４０７、５０７）の前記第２の側の前記電位に接続されていることを特徴とする両用フライバックコンバータ回路。
【請求項９】
請求項７に記載の両用フライバックコンバータ回路において、
前記第１の半導体スイッチ（５２０）及び前記第２の半導体スイッチ（５７０）の前記バルク端子が、前記比較器（５３０）の前記結果、及び２つのＰＭＯＳ  ＦＥＴ（５３７、５３８）によって、前記入力電圧の前記第１の電位及び前記第２の電位のうちの前記低い方の電位に接続できることを特徴とする両用フライバックコンバータ回路。
【発明の詳細な説明】
【技術分野】
【０００１】
相互参照
[0001]  本出願は、２０１８年２月１４日に出願された独国実用新案第２０２０１８０００７５２．８号に対する優先権を主張し、その全体が参照によって本明細書に援用される。
【背景技術】
【０００２】
背景
[0002]  ＤＣ−ＤＣコンバータは、電圧源によって生成される電圧を上昇させることができる。電圧の極性を知り、ＤＣ−ＤＣコンバータの構成部品を正しく接続できるようにすることが望ましい場合がある。しかしながら、電圧源によっては、ある入力条件のセットが満たされると、一方の極性を有する電圧を生成するが、第２の、異なる入力条件のセットが満たされると、逆の極性を有する電圧を生成するものがある。例えば、熱電発生器が特定の温度勾配を認めると、熱電発生器は正の電圧を生成するが、逆の温度勾配を認めると、負の電圧を生成する場合がある。
【発明の概要】
【発明が解決しようとする課題】
【０００３】
概要
[0003]  本発明は、入力電圧に対する第１の電位及び第２の電位を有するエネルギー源用のエネルギー回収回路のためのスタータ回路に関する。特に、熱電発生器はエネルギー源として使用することができる。
【０００４】
[0004]  この種のスタータ回路は、第１の側及び第２の側を有する充電キャパシタと、それぞれが巻き始め及び巻き終わりを有する一次巻線及び二次巻線を有する第１の変圧器と、第１の始動トランジスタと、第１のダイオードと、を備える。この場合、第１の始動トランジスタは、そのゲート端子が第１の変圧器の二次巻線の巻き始めに結合され、前記第１の始動トランジスタは、そのドレイン端子が第１の変圧器の一次巻線の巻き終わりに接続されている。第１の発振器は、少なくとも第１の変圧器及び第１の始動トランジスタによって形成されている。
【０００５】
[0005]  さらに、第１のダイオードが第１の変圧器の二次巻線の巻き始めと充電キャパシタとの間に接続され、第１の始動トランジスタのソース端子が入力電圧の第２の電位に結合されるように設けられている。第１のダイオードのアノードは、充電キャパシタの第２の側に接続され、充電キャパシタの第１の側は、入力電圧の第１の電位にある。電圧が充電キャパシタの第２の側に生成され、この電圧は、入力電圧の第１の電位及び第２の電位よりも低い。したがって、充電キャパシタの第１の側は、充電キャパシタのプラス側とも呼ぶことができ、充電キャパシタの第２の側は、充電キャパシタのマイナス側と呼ぶことができる。
【０００６】
[0006]  本発明の文脈の範囲内において、変圧器の「一次巻線（primary winding）」又は「一次側（primary side）」とは、入力電圧がそこに印加される巻線であると理解することができ、二次巻線（secondary side）又は二次側（secondary side）とは、出力電圧がそこで生成される変圧器の巻線であると理解することができる。本発明の文脈の範囲内において、「結合された（coupled）」とは、直接接続、或いは１つ又は複数の構成部品を介しての接続であると理解することができる。
【０００７】
[0007]  入力電圧の第２の電位に対する第１の電位の挙動が定義されたエネルギー源用の一般的なスタータ回路は、例えば、独国特許出願公告第１１  ２０１３  ００５  ０２７  Ｂ４号から既知である。言いかえれば、入力電圧の極性がわかっていなければならない。この場合、スタータ回路はフライバックコンバータを始動させるために使用され、フライバックコンバータに必要な構成部品は両用である。これは、本発明にもあてはまる。
【０００８】
[0008]  フライバックコンバータは、バック−ブーストコンバータとも呼ばれる。前記コンバータは、特定の形式のＤＣ−ＤＣコンバータである。
【０００９】
[0009]  ここでフライバックコンバータの単純な基本構造を、図６を参照して説明する。
【００１０】
[0010]  図６のフライバックコンバータは、電圧源６０１と、変圧器６０３と、ダイオード６０６と、充電キャパシタ６０７と、スイッチ６２０と、を備える。加えて、キャパシタ６０２もまた、電圧源６０１と並列に設けられているが、前記キャパシタは、フライバックコンバータとしての動作には必要ではない。この場合、変圧器６０３上の２つの点は巻き方向を表示している。説明の文脈の範囲内において、巻き始め及び巻き終わりと言う場合、これは純粋に、理解を助けるためのものである。原則として、変圧器のコイルの配線が反対方向又は同じ方向で保持されていれば、変圧器内で端子を入れ替えることもまた可能である。
【００１１】
[0011]  フライバックコンバータの基本的な動作原理を以下で説明する。原則として、フライバックコンバータの場合、２つの動作モード、すなわち導通フェーズ及び遮断フェーズが互いに交番する。スイッチ６２０は、どちらのタイプの動作がアクティブであるかを判定する。スイッチ６２０が閉じていれば、フライバックコンバータは導通フェーズにある。スイッチ６２０が開いていれば、前記コンバータは遮断フェーズにある。
【００１２】
[0012]  導通フェーズでは、電圧源６０１によって変圧器６０３の一次巻線に電流が流れる。ダイオード６０６は変圧器６０３の二次巻線を通る電流の流れを遮断するので、前記二次巻線には電流が流れていない。その結果、起磁力が変圧器６０３のエアギャップに蓄積される。
【００１３】
[0013]  次にスイッチ６２０が開くと、変圧器６０３の一次巻線又は一次側を通る電流の流れは停止する。変圧器６０３の一次側を通る電流の流れは非常に急速に停止されるので、変圧器６０３の二次側を通る電流が増加する。電流はダイオード６０６を通って流れ、その結果充電キャパシタ６０７が充電される。その後に続いて、スイッチ６２０が再び閉じられ、導通フェーズ及び遮断フェーズからなる新たなサイクルが始動される。
【００１４】
[0014]  スイッチ６２０のパルス出力により、キャパシタ６０７を充電する電力の調節が可能になる。その結果、例えば、充電キャパシタ６０７に加えられた負荷が指定された出力電圧で供給されること、又はエネルギー貯蔵部、特に充電式電池が指定された電流で充電されることが可能になる。ここで示されているフライバックコンバータの実施形態では、入力及び出力はそれぞれの場合において、ガルヴァーニ電気的に（galvanically）絶縁されている。これは有利であるが必須ではなく、対応する配線を追加することによって、ガルヴァーニ電気的に絶縁せずに動作させることもまた可能になる。ここで示されているフライバックコンバータの場合、入力電圧は出力電圧よりも大きくすること、又は小さくすることの両方が可能である。これは、主としてスイッチ６２０の制御に依存し、このスイッチは半導体スイッチとして形成されることが好ましい。バック動作モード又はブースト動作モードについて言及する。
【００１５】
[0015]  フライバックコンバータは、不連続電流モード、又は連続電流モードで機能することができる。連続電流モードの場合、半導体スイッチがオンになったとき、インダクタンスはまだ電流を伝えている。ブーストコンバータとは対照的に、対応する巻線比を有するフライバックコンバータの場合、入力電圧に対する出力電圧比が非常に高い場合でも、連続電流モードで、実際に実現可能なデューティサイクルで動作することが可能である。ここで示されているフライバックコンバータを使用すると、例えば、入力電圧２０ｍＶ、且つ、デューティサイクル７５％で、出力電圧６Ｖまで可能である。発生する損失を無視すると、これは次式に従って計算される。
【数１】
2021513833.tif 000003
ここで、デューティサイクルは以下のように定義されることに留意されたい。
【数２】
2021513833.tif 000004
【００１６】
[0016]  これは遮断フェーズに対する導通フェーズの比が３：１であることを意味する。１：１００の変圧器を使用することもまた想定され、ここでＮは一次側の一巻きに対する二次側の巻き数を指定している。
【００１７】
[0017]  不連続電流モードは、不連続導通モードとも呼ばれる場合がある。前記モードでは、インダクタンス、すなわち変圧器６０３の一次巻線を通る電流の流れは０Ａで始まる。発生する損失を無視すると、一定の入力電圧において、前記電流の流れは、最大の電流の流れＩｍａｘに達し、以下のようになる。
【数３】
2021513833.tif 000005
ここで、Ｖｉｎは入力電圧を表し、Ｌ（ｐｒｉｍ）は変圧器の一次巻線のインダクタンスを表す。
【００１８】
[0018]  次に、入力抵抗は、
【数４】
2021513833.tif 000006
となり、スイッチング周波数ｆにおいて、次式のようになる。
【００１９】
[0019]  これによれば、入力抵抗は電圧源に依存しない。これにより、出力電圧に依存しない一定の出力抵抗を有する熱電発生器の場合、非常に単純なインピーダンス整合が可能になる。
【００２０】
[0020]  上記で述べたように、電圧源６０１と並列に接続されたキャパシタ６０２は、必須ではない。しかしながら、それは、電圧源６０１がゼロよりも大きい出力抵抗を有するため、この場合には使用される。その結果、電圧源６０１の出力抵抗は、キャパシタ６０２とともに、低域通過フィルタを形成する。この結果、導通フェーズの間に入力電圧が過度に降下することはない。
【００２１】
[0021]  図６を参照して述べたフライバックコンバータのバージョンは、スイッチ６２０が外部コントローラによって制御されることが想定されている一般的な実施形態である。集積フライバックコンバータ回路もまた存在し、そこでは、半導体スイッチ６２０及びコントローラの両方が設けられている。その理由は、これにより、全体的な解決策がより小さく、且つ、コスト効率がより良くなるからである。従来のフライバックコンバータ回路では、前記コントローラのためにそれ以上のエネルギー供給は必要ではない。
【００２２】
[0022]  フライバックコンバータのわずかに修正されたバージョンが図７に示されている。フライバックコンバータのこの実施形態では、追加のキャパシタ７２７及びさらなるダイオード７２６が設けられている。フライバックコンバータのこの構造により、出力電圧の整流がグライナッヘル（Greinacher）回路によって可能になる。
【００２３】
[0023]  この場合、導通フェーズの間に、キャパシタ７２７は、ダイオード７２６を介して、二次巻線の誘導電圧からダイオード電圧を差し引いた電圧に充電される。図６に示されるフライバックコンバータと比較した利点は、この場合、ダイオード７０６が、Ｖｏｕｔにダイオード電圧を加えた電圧に耐えさえすればよいということである。
【００２４】
[0024]  遮断フェーズの間に、充電キャパシタ７０７はダイオード７０６及びキャパシタ７２７を介して充電される。この場合、ダイオード７２６は、ここでもまた、Ｖｏｕｔにダイオード電圧を加えた電圧にのみ影響を受ける。ダイオード７２６は、例えば、ショットキー（Schottky）ダイオードとして形成してもよい。
【００２５】
[0025]  しかしながら、すでに言及したように、独国特許出願公告第１１  ２０１３  ００５  ０２７  Ｂ４号から既知である回路は、回路を構築する際に、入力電圧の２つの入力電位のうちのどちらが高い方であるかが分かっているときにしか使用することができない。これを解決するために、例えば、米国特許出願公開第２０１０／０２０８４９８  Ａ１号は、小さな正及び負の入力電圧用に２つのＤＣ／ＤＣコンバータの逆並列接続を提案している。
【００２６】
[0026]  これは、原則として、独国特許出願公告第１１  ２０１３  ００５  ０２７  Ｂ４号から既知である回路を使用して同様に可能であるが、それぞれの場合において１つのＤＣ／ＤＣコンバータ、すなわち１つの分岐しか使用しないので、使用されない分岐の既存の自己導通トランジスタを通って電流が流れるという問題が生じることになる。これにより、冷起動電圧が上昇し、効率が低下し、回路の入力抵抗が減少する。
【００２７】
[0027]  さらなる問題は、存在する寄生バルク−ドレイン間ダイオードを通って電流が流れることにより、入力電圧が上昇するにつれて、電流が指数関数的に増加するということである。これによってもまた、効率が低下し、回路の入力抵抗が減少する。
【００２８】
[0028]  これらの問題のうちのいくつかを解決するために、米国特許出願公開第２０１０／０１９５３６０  Ａ１号は、２つの自己導通トランジスタ又は半導体スイッチをそれぞれの場合において直列で接続することを提案している。その結果、寄生ダイオードのうちの１つが常に逆方向で動作し、電流は流れない。しかしながら、これは、使用されない自己導通トランジスタに起因する問題を解決しない。さらに、この種の回路は、抵抗損、入力キャパシタンス及び必要とされるチップ面積が２倍になるのに対し、半導体スイッチのサイズは同じままであるという点で不利である。
【００２９】
[0029]  したがって、本発明の目的は、コスト効率良く達成可能で、必要な始動電圧が低く、且つ、正の温度差又は負の温度差が小さい熱電発生器に使用することが可能なエネルギー回収回路のためのスタータ回路を明示するということである。
【課題を解決するための手段】
【００３０】
[0030]  この目的は、本発明によれば、請求項１の特徴を有するエネルギー回収回路のためのスタータ回路によって達成される。
【００３１】
[0031]  さらなる有利な実施形態は、従属請求項、本明細書、並びに図面及びその説明に明示されている。
【００３２】
[0032]  請求項１によれば、それぞれが巻き始め及び巻き終わりを有する一次巻線及び二次巻線を同様に有する第２の変圧器、及び第２のダイオード、並びに第２の始動トランジスタもまた設けられた、エネルギー回収回路のための一般的なスタータ回路が開発される。第２の始動トランジスタのゲート端子は、第２の変圧器の二次巻線の巻き始めに結合され、前記第２の始動トランジスタのドレイン端子は、第２の変圧器の一次巻線の巻き終わりに接続されている。第２の発振器は、少なくとも第２の変圧器及び第２の始動トランジスタによって形成されている。
【００３３】
[0033]  さらに、第２のダイオードは、第２の変圧器の二次巻線の巻き始めと、充電キャパシタとの間に設けられ、第２のダイオードのアノードもまた、充電キャパシタの第２の側に接続されている。第２の始動トランジスタのソース端子は、入力電圧の第１の電位に結合されている。
【００３４】
[0034]  その上に、第１の始動トランジスタのバルク端子及び第２の始動トランジスタのバルク端子は、充電キャパシタの第２の側に接続されている。
【００３５】
[0035]  この種のエネルギー回収回路のためのスタータ回路の一実施形態により、エネルギー源の入力電圧の第１の電位又は第２の電位のいずれの方が大きいかに関係なく、回路が使用できることを可能にし得る。言いかえれば、エネルギー源の極性が分かっている必要はない。その結果、前記回路は、例えば、正の温度差及び負の温度差の両方と関連して使用し得る熱電発生器との使用に適したものとなる。
【００３６】
[0036]  入力電圧の第１の電位が第２の電位よりも大きい場合、充電キャパシタは、第１の発振器によって充電される。対照的に、入力電圧の第２の電位が第１の電位よりも高い場合、充電キャパシタは、第２の発振器を介して充電される。
【００３７】
[0037]  さらに、本発明の基本概念は、特に、第１の始動トランジスタ及び第２の始動トランジスタのバルク端子が充電キャパシタの第２の側に接続されているため、電流が寄生バルク−ドレイン間ダイオードを通って流れることができない、という事実であると見なすことができる。その結果、追加の構成部品を設けずに、回路の効率を大幅に高めることができる。この点に関して言えば、充電キャパシタの第２の側、すなわち説明したように充電キャパシタのマイナス側の電圧電位もまた、この目的のために十分であることに留意されたい。
【００３８】
[0038]  一発展形態では、第１の停止トランジスタ及び第２の停止トランジスタを設けることができ、第１の発振器は、第１の停止トランジスタ及び充電キャパシタの第２の側の電圧によって切断することができる。さらに、第２の発振器は、第２の停止トランジスタ及び同様に充電キャパシタの第２の側の電圧によって切断することができる。さらに、第１の停止トランジスタのソース端子及び第２の停止トランジスタのソース端子は、充電キャパシタの第２の側に接続されていてもよい。例えば、この目的のために、２つの停止トランジスタのソース端子及び充電キャパシタの第２の側を接地することができる。これは、充電キャパシタの第２の側に印加される電圧電位にあるように、第１の始動トランジスタ及び第２の始動トランジスタのバルク端子もまた接地に接続可能であることを意味する。
【００３９】
[0039]  エネルギー回収回路のためのスタータ回路に比較器が設けられ、この比較器が入力電圧の第１の電位又は第２の電位のどちらの方が高い電位であるかを検出することが有利である。この情報は、例えば、スタータ回路の使用されない分岐、すなわち全体を通して「第１の」又は「第２の」によって表示される構成部品を備える分岐を相応に切断するために、使用することができる。例えば、入力電圧の第１の電位が第２の電位よりも高い場合、第２の分岐は使用されず、エネルギーを使用することがないように、又はスタータ回路に不利な他の特性を有することがないように、切断することができる。
【００４０】
[0040]  さらに、入力電圧の第１の電位が第２の電位よりも小さい場合、比較器の結果、及び第１の始動トランジスタによって第１の発振器を停止させることが可能になり、入力電圧の第２の電位が第１の電位よりも小さい場合、比較器の結果、及び第２の停止トランジスタによって第２の発振器を停止させることが可能になる場合がある。
【００４１】
[0041]  比較器が入力電圧の第１の電位の方が高いと識別すると、第２の停止トランジスタは、第２の発振器を停止するか、又は対応する分岐を切断することができる。同様に、第２の電位の方が高い場合、第１の停止トランジスタを介して第１の発振器を停止させるか、又は第１の分岐を切断することができる。このように、それぞれの場合において、正の電圧が常にアクティブな分岐に印加されることが実現される。
【００４２】
[0042]  構造が原因で、正のフィードバックにより、分岐が正の電圧を有するようになり、したがって、前記分岐は非常に低い入力電圧においてさえ、振動し始める。対照的に、負のフィードバックにより、分岐に負の電圧が印加されるようになり、したがって、一次巻線を通る一定の望ましくない電流が発生する。それぞれの型のフィードバックは、とりわけ、変圧器の配線及び該当する分岐のさらなる構成部品の結果として生じる。該当する分岐を切断すると、スタータ回路全体の効率及び初期電圧が最適化される。
【００４３】
[0043]  加えて、電圧監視回路を設けることができ、この電圧監視回路は、閾値電圧に達すると、第１の停止トランジスタ又は第２の停止トランジスタによって、第１の発振器又は第２の発振器を切断するように設計されている。電圧監視回路は、充電キャパシタの両端に印加される電圧を監視する。したがって、対応する高電圧に達した場合、後続のエネルギー回収回路を動作させるために、この時までまだ動いている発振器もまた切断し、制御を下流のエネルギー回収回路に移すことが好都合である。
【００４４】
[0044]  本発明はさらに、本発明によるエネルギー回収回路のためのスタータ回路を含む両用フライバックコンバータ回路に関する。この場合、フライバックコンバータ回路は、エネルギー回収回路の一例である。加えて、フライバックコンバータ回路を動作させるために第１の半導体スイッチ及び第２の半導体スイッチが設けられ、第１の変圧器の一次巻線の巻き終わりと、入力電圧の第２の電位との間に、第１の半導体スイッチが設けられている。それと同様に、第２の変圧器の一次巻線の巻き終わりと、入力電圧の第１の電位との間に、第２の半導体スイッチが設けられている。フライバックコンバータ回路を動作させるために、コントローラがさらに設けられており、このコントローラに充電キャパシタによってエネルギーが供給される。
【００４５】
[0045]  全体として、第１の変圧器、充電キャパシタ、第１のダイオード、第１の半導体スイッチ及びコントローラは、第１のフライバックコンバータを形成し、第２の変圧器、充電キャパシタ、第２のダイオード、第２の半導体スイッチ及びコントローラは、第２のフライバックコンバータを形成している。この場合、フライバックコンバータを始動させ、動作させるために、コントローラは、第１の半導体スイッチ及び第２の半導体スイッチの両方を制御するように設計されている。
【００４６】
[0046]  フライバックコンバータの基本的な動作原理は、図６及び図７を参照して、すでにより詳細に説明されている。本発明によるエネルギー回収回路のためのスタータ回路を提供することにより、コントローラによって、対応するフライバックコンバータを始動させられるように、始動に十分なエネルギーを両用フライバックコンバータ回路に供給することが可能になる。
【００４７】
[0047]  これらの実施形態によれば、原則として、２つのフライバックコンバータ回路が設けられ、それぞれの場合において１つだけが使用される。使用されるフライバックコンバータ回路は、入力電圧の第１の電位と第２の電位との間の関係によって決まる。全体として、フライバックコンバータ回路は、それぞれ正の電圧を使用して動作するように構築されている。これを確実にするために、前記回路は、相応に、第１の電位及び第２の電位に交互に接続される。
【００４８】
[0048]  言いかえれば、回路は、正の入力電圧が印加されるフライバックコンバータだけを確実に動作させるようにする。
【００４９】
[0049]  第１の半導体スイッチ及び第２の半導体スイッチのバルク端子は、使用されないフライバックコンバータの対応する半導体スイッチの寄生ダイオードを通る電流を防止するために、充電キャパシタの第２の側の電位に接続することができる。しかしながら、存在する正のソース−バルク間電圧の結果、人体効果が生じる。この目的のために、例えば、ソース端子及び充電キャパシタの第２の側を接地することができる。
【００５０】
[0050]  しかしながら、さらなる実施形態では、第１の半導体スイッチ及び第２の半導体スイッチのバルク端子は、入力電圧の第１の電位及び第２の電位のうちの電位の低い方に接続してもよい。この配線により、使用されないフライバックコンバータの対応する半導体スイッチの寄生ダイオードを通って流れる電流が防止され、そればかりでなく、人体効果が発生せず、２つの半導体スイッチは、入力電圧電位間の差の絶対値に対してのみ設計すればよい。これを検出し、且つ実現するために、例えば、比較器の結果を使用することができる。対応するやり方で回路を実装するために、２つのＰＭＯＳ  ＦＥＴをこの目的のために使用することができ、このＰＭＯＳ  ＦＥＴが、第１の半導体スイッチ及び第２の半導体スイッチのバルク端子を、それぞれの場合において入力電圧の第１の電位及び第２の電位のうちの低い方に接続することができる。
【００５１】
[0051]  本開示の追加の態様及び利点は、本開示の単なる例示的な実施形態が示され、説明されている以下の詳細な説明から、当業者には容易に明らかになるであろう。理解されるように、本開示は、その他の、及び異なる実施形態が可能であり、その細部のいくつかは、すべてが本開示から逸脱することなく、様々な明白な点において修正することが可能である。したがって、図面及び説明は、本質的に例示的なものであり、限定的なものではないと見なされるものとする。
【００５２】
参照による援用
[0052]  本明細書で言及されるすべての刊行物、特許及び特許出願は、それぞれの個々の刊行物、特許、又は特許出願が具体的、且つ個別に参照により援用されることが示されるのと同程度に参照により本明細書に援用される。参照により援用される刊行物、及び特許、又は特許出願が、本明細書に包含される開示と矛盾する程度まで、本明細書は、任意のこのような矛盾する資料に取って代わり、及び／又は優先するように意図される。
【００５３】
図面の簡単な説明
[0053]  本発明の新規な特徴は、添付された特許請求の範囲で詳細に述べる。本発明の特徴及び利点は、本発明の原理が利用される例示的な実施形態について述べた以下の詳細な説明、及び添付の図面（本明細書では「図」及び「ＦＩＧ．」とも記す）を参照することによって、より良く理解することができるであろう。
【図面の簡単な説明】
【００５４】
【図１】[0054]本発明によるエネルギー回収回路のためのスタータ回路の第１の実施形態を示す。
【図２】[0055]本発明によるエネルギー回収回路のためのスタータ回路の第２の実施形態を示す。
【図３】[0056]本発明によるエネルギー回収回路のためのスタータ回路の第３の実施形態を示す。
【図４】[0057]本発明による両用フライバックコンバータ回路を示す。
【図５】[0058]本発明による両用フライバックコンバータ回路を示す。
【図６】[0059]フライバックコンバータの一例を示す。
【図７】[0060]フライバックコンバータのさらなる例を示す。
【発明を実施するための形態】
【００５５】
[0061]  図では、同じ又は同様の構成部品は、それぞれの場合において同じ参照符号によって表示され、先頭の数字は、それぞれの場合において異なっており、図の番号を表している。この場合、反復を避けるために、同じ機能を有する構成部品は、必ずしも再び取り上げるわけではない。
【００５６】
詳細な説明
[0062]  本発明の様々な実施形態を本明細書で示し、説明してきたが、このような実施形態は単なる例として提供されることが、当業者には明白であろう。数多くの変形例、変更例、及び置換例を、本発明から逸脱することなく、当業者は思い浮かべることができる。本明細書に記載される本発明の実施形態の様々な代替例を使用し得ることを理解されたい。
【００５７】
[0063]  図１は、それぞれの場合において２つの分岐を含む、エネルギー回収回路のためのスタータ回路を示す。これにより、スタータ回路が機能し、エネルギー源１０１の入力電圧の２つの電位の相互の比率に関係なく充電キャパシタ１０７を充電することが可能になる。図１の図面には、ＤＣ電圧源１０１の内部抵抗Ｒｉもまた示されている。ＤＣ電圧源１０１は、例えば、熱電発生器とすることができ、この発生器は、正の温度差及び負の温度差と関連して動作することができる。この結果、図１に説明され、また図示されているように、電圧源１０１の極性が異なるものとなり得る。キャパシタ１０２は、電圧源１０１と並列に設けられている。前記キャパシタの効果は、図６を参照して上記で説明した効果と同じである。回路の第１の分岐は、第１の変圧器１０３と、第１の始動トランジスタ１０４と、第１のダイオード１０６と、第１の結合キャパシタ１０８と、第１の抵抗器１０９と、第１の停止トランジスタ１２２と、によって形成されている。
【００５８】
[0064]  第２の分岐は、同様に、第２の変圧器１５３と、第２の始動トランジスタ１５４と、第２のダイオード１５６と、第２の結合キャパシタ１５８と、第２の抵抗器１５９と、第２の停止トランジスタ１７２と、によって形成されている。
【００５９】
[0065]  加えて、電圧監視回路１１１と、比較器１３０と、２つのＯＲゲート１３２、１８２と、インバータ１３１と、が設けられている。
【００６０】
[0066]  スタータ回路の機能について、以下でより詳細に説明する。
【００６１】
[0067]  ２つの分岐の配線の実質的な違いは、上側の分岐では、第１の変圧器１０３の二次巻線の巻き終わりが一次側の巻き始めと同じ電位、具体的にはＶｉｎ１にあり、一方、第２の変圧器１５３の二次巻線の巻き終わりが一次側の巻き始めとは逆の電位にある、ということである。第１の始動トランジスタ１０６のソース端子はＶｉｎ２にあり、一方、第２の始動トランジスタ１５４のソース端子はＶｉｎ１にある。言いかえれば、該当する変圧器１０３、１５３の二次巻線の巻き終わりは、それぞれの場合において、始動トランジスタ１０４、１５４の対応するソース端子と同じ電位にある。
【００６２】
[0068]  ２つの発振器は、それぞれの場合において、始動する目的で２つの分岐に形成されている。これは、第１の分岐では第１の変圧器１０３及び第１の始動トランジスタ１０４によって実現され、第２の分岐では第２の変圧器１５３及び第２の始動トランジスタ１５４によって実現される。
【００６３】
[0069]  発振器の周波数（ｆ）は、次式に従って決定される。
【数５】
2021513833.tif 000007
式中、Ｃは、この場合、該当する始動トランジスタ１０４、１５４の入力キャパシタンスと、該当する変圧器１０３、１５３の二次側のキャパシタンスと、の合計であり、Ｌ（ｓｅｃ）は、該当する変圧器１０３、１５３の二次側のインダクタンスである。
【００６４】
[0070]  スタータ回路の動作原理について以下で簡潔に取り上げるが、最初は、電圧源１０１で正の電圧が印加されるため、Ｖｉｎ１はＶｉｎ２よりも大きいと仮定する。
【００６５】
[0071]  電圧源１０１の電圧が上昇するとすぐに、第１の変圧器１０３の一次巻線の電流が増加し、同時に、第１の変圧器１０３の二次巻線で電圧が誘導され、この電圧が第１の始動トランジスタ１０４のゲート電圧を上昇させる。その結果、第１の始動トランジスタ１０４は抵抗が小さくなり、電流をさらに増加させることができる。一次巻線に印加される電圧は、オーム電圧が降下したために低下し、その結果、第１の始動トランジスタ１０４のゲートの電圧が低下し、前記始動トランジスタは抵抗が大きくなり、これにより一次巻線の電圧がさらに低下する。これにより、その後、第１の始動トランジスタ１０４で負のゲート電圧が生じ、このトランジスタは、その閾値電圧で切断する。フライバックコンバータについてすでに説明したように、電流はその後、第１の変圧器１０３の二次側へとのみ、流れ続けることができる。その結果、充電キャパシタ１０７は低電圧に充電される。この充電は、第１のダイオード１０６を介して行われることで、キャパシタ１０７を充電したエネルギーが、もはや流出できないようになっている。
【００６６】
[0072]  これで第１の変圧器１０３の二次巻線の電流はゼロまで降下し、第１の始動トランジスタ１０４のゲート電圧もまた０Ｖになり、第１の変圧器１０３の一次巻線の電流は、再び増加し始める。周期的な電流パルスは、充電キャパシタ１０７をもっと高い電圧まで充電する。
【００６７】
[0073]  要約すれば、正の入力電圧を有する分岐は、発振器によって正のフィードバックを受け、１０ｍＶ未満の非常に低い入力電圧においてさえ、振動し始める。逆の配線により、負の入力電圧が印加されるもう一方の分岐で負のフィードバックが生じ、この負のフィードバックの結果、変圧器１０３、１５３の該当する一次巻線を通る定電流が発生する。これは望ましくないので、下記でより詳細に説明するように、防止される。
【００６８】
[0074]  電圧源１０１の特定の極性に応じて、第１のダイオード１０６又は第２のダイオード１５６は、充電キャパシタ１０７の負の電位をＶｉｎ１未満の電圧に充電する。回路が始動された後、接地に対するＶｉｎ１である出力電圧は、量の点で、Ｖｉｎ１からＶｉｎ２を差し引いた合計である入力電圧よりも大きいので、接地は、同様に該当する極性に関係なく、常にＶｉｎ１未満である。その結果、接地は、それぞれの始動トランジスタ１０４、１５４を切断するために、したがって該当する発振器を停止させるために使用することができる。
【００６９】
[0075]  比較器１３０は、上述したように、負のフィードバックで動作し、始動トランジスタ１０４、１５４を切断することによって、その該当する変圧器１０３、１５３の一次巻線を通る望ましくない定電流を有する分岐を正確に非アクティブ化するために設けられる。
【００７０】
[0076]  前記比較器は、Ｖｉｎ１がＶｉｎ２よりも大きいかどうかを検出する。これがあてはまる場合には、前記比較器は、信号Ｖｉｎ１＿ｈｉｇｈをＶｉｎ１に印加し、それ以外の場合には、接地に印加する。第１の場合に、すなわち、Ｖｉｎ１がＶｉｎ２よりも大きいとき、ＯＲゲート１８２の出力は論理１であり、Ｖｉｎ１を停止トランジスタ１７２上に接続する。その結果、前記停止トランジスタは、低抵抗になり、したがって、第２の始動トランジスタ１５４のゲートは接地電位に接続され、その結果、第２の始動トランジスタ１５４は高抵抗になる。
【００７１】
[0077]  逆の場合、すなわち、Ｖｉｎ２がＶｉｎ１よりも大きい場合、Ｖｉｎ１＿ｈｉｇｈは、接地に接続され、したがって、インバータ１３１により、ＯＲゲート１３２の出力は論理１、すなわちＶｉｎ１に接続し、それに応じて、同様に、第１の始動トランジスタ１０４は第１の停止トランジスタ１２２を介して切断される。この機能性は、使用されない分岐の使用されない変圧器１０３、１５３を通って電流が流れることを防止する。
【００７２】
[0078]  電圧監視回路１１１は、充電キャパシタ１０７で所望の電圧に達すると、使用されている分岐、すなわち、そこに存在する発振器を切断するために設けられている。前記監視回路は、例えば、基準電圧源と、抵抗分割器と、比較器と、で構成してもよい。しかしながら、この場合、前記監視回路が、図１による実施形態の充電キャパシタ１０７で１．８Ｖの電圧を識別することが必須である。これにより、前記監視回路は、該当する分岐の始動トランジスタ１０４、１５４もまたここで切断するために、２つのＯＲゲート１３２、１８２によって、使用されている分岐の停止トランジスタ１２２、１７２を相応に作動させる。
【００７３】
[0079]  始動トランジスタ１０４、１５４のバルク端子が接地電位にあることが、この実施形態では必須である。以下で説明するように、これにより、寄生バルク−ドレイン間ダイオードを通って電流が流れることができないようにする。上述したように、動作中、接地はＶｉｎ１及びＶｉｎ２未満である。その結果、２つの始動トランジスタ１０４、１５４で、２つの上記寄生バルク−ドレイン間ダイオードを通って電流が流れることがない。これにより、さらなる構成部品を必要とせずに回路の効率が大幅に高まる。
【００７４】
[0080]  しかしながら、バルク端子を接地に接続すると、形式的に言えば、人体効果が生じるという点で不利になる。人体効果は、正のソース−バルク間電圧の場合の閾値電圧の増加である。前記効果の影響は、ここで存在する出力電圧が小さい場合には些細なものにすぎず、したがって、回路は、充電キャパシタ１０７を相応に充電し、これにより、始動に十分なエネルギーを下流のエネルギー回収回路に供給するのに最適である。
【００７５】
[0081]  ここで図１の発展形態について、図２及び図３を参照して、記載し、説明する。この場合、始動トランジスタ２０４、３０４、２５４、３５４のバルク端子は、それぞれの場合において接地にあり、これは、回路の効率を高めるが、図１を参照して上述したように、必須ではないことに留意されたい。
【００７６】
[0082]  図１の比較器１３０は、それに使用されるトランジスタの閾値電圧よりも上でのみ機能する。その結果、例えば、１Ｖの電圧の場合であれば、原則として、さらなる電圧監視回路が必要となり、この監視回路は、比較器１３０並びにインバータ１３１の出力が最初に事前に接地電位に確実に留まるようにし、その結果、例えば１Ｖの閾値電圧に達するまで、使用されない変圧器１０３、１５３に電流が流れるため、回路全体の冷起動電圧をさらに増加させる。
【００７７】
[0083]  図２及び図３による実施形態では、これが改良されている。この場合、どちらの状況においても、発振分岐、すなわち動作分岐の発振信号を使用して、不動作の分岐を可能な限り早く非アクティブ化する。動作分岐と呼ばれる分岐は、発振器が所望の通りに機能し、且つ、正のフィードバックが存在する分岐である。
【００７８】
[0084]  図２では、比較器１３０、ＯＲゲート１３２、１８２、及びインバータ１３３の代わりに、分岐ごとに切断ダイオード２３３、２８３、及び切断トランジスタ２３４、２８４が設けられている。この場合、第１の切断ダイオード２３３のカソードは、第２の変圧器２５３の二次側の巻き始めに接続されている。第２の切断ダイオード２８３は、同様に、第１の変圧器２０３に接続されている。ショットキーダイオードを切断ダイオード２３３、２８３として使用することが好ましい。
【００７９】
[0085]  図２による実施形態について、続いて、図３による実施形態についてもまた、Ｖｉｎ２がＶｉｎ１よりも大きいという仮定に基づいて以下で説明することにする。これは、スタータ回路の第２の分岐が動作していることを意味し、この分岐が図の一番下に示されている。因みに、「動作している（operating）」とは、第２の変圧器２５３及び始動トランジスタ２５４によって形成される第２の発振器が振動していることを意味すると理解することができる。それに応じて、充電キャパシタ２０７は、第２の変圧器２５３の二次巻線のエネルギーによって、第２のダイオード２５６を介して充電される。これは、第２の変圧器２５３の二次巻線の巻き始めの電圧が、第２のダイオード２５６の順電圧を上回る分だけ接地電位よりも小さい時に、常に起こる。
【００８０】
[0086]  以下では、ショットキーダイオードとして設計されている第２のダイオード２５６の順電圧は、３００ｍＶであると仮定する。
【００８１】
[0087]  第２の発振器が振動している間、該当する回帰フェーズでは、すなわち、第２のダイオード２５６のカソードが接地電位よりも３００ｍＶ低い値にあるフェーズでは、第２の切断ダイオード２３３のカソードもまた前記電位にある。その結果、切断ダイオード２３３及び第２のダイオード２５６の両端の電圧降下が同じであると仮定すると、切断トランジスタ２３４のソース端子もまた、接地にある。抵抗器２０９が、例えば、≧１０ＭΩの領域の高抵抗である場合、切断ダイオード２３３を通る電流は、第２のダイオード２５６を通る電流よりも少ない。その結果、切断ダイオード２３３及び第２のダイオード２５６が設計上同一であると仮定すれば、切断ダイオード２３３の両端の電圧降下は、第２のダイオード２５６の両端よりも小さくなる。したがって、切断トランジスタ２３４のソース端子は、接地電位よりもさらに低くなっている。
【００８２】
[0088]  切断トランジスタ２３４のゲート−ソース間の電圧がその閾値電圧に達するとすぐに、前記切断トランジスタは低抵抗になる。これにより、始動トランジスタ２０４のゲート電圧が、厳密な設計に応じて、接地電位以下に引き下げられる。それに引き続いて、始動トランジスタ２０４が高抵抗になり、その結果、使用されない分岐の発振器が切断される。
【００８３】
[0089]  実際、この効果は、閾値電圧よりも低くても、すなわち、切断トランジスタ２４３の弱い反転でも機能する。なぜなら前記トランジスタは、抵抗器２０９のみと比較して低抵抗でなければならないからである。
【００８４】
[0090]  第２の変圧器２５３及び第２の始動トランジスタ２５４によって形成される発振器が振動している間、第１の始動トランジスタ２０４のゲート電圧は、短時間の間、下落、すなわち低下する。しかしながら、抵抗器２０９及び結合キャパシタ２０８によって形成されるＲＣ素子の時定数が長いことは、第２の分岐の動作の間、第１の始動トランジスタ２０４が切断されたままであるように、電圧が常に十分に低いままであることを意味する。ＲＣ時定数は、通常、振動する発振器の周期よりも大幅に長い。
【００８５】
[0091]  前記回路の動作モードは、Ｖｉｎ１がＶｉｎ２よりも大きいとき、類似した動作原理であり、発振器は、第１の変圧器２０３及び第１の始動トランジスタ２０４によって形成される第１の分岐で振動し、一方、第２の分岐は切断される。
【００８６】
[0092]  上記回路と比較したこの回路の利点は、使用されない分岐をすでにＮＭＯＳ  ＦＥＴの閾値電圧よりもかなり下で非アクティブ化できることである。したがって、２０ｍＶ未満の冷起動電圧を実現することが可能である。
【００８７】
[0093]  図３で説明したスタータ回路の実施形態に対応するやり方では、切断ダイオード３３３、３８３は省略することができ、これは、最大可能な高電圧に対して前記切断ダイオードの寸法を設計しなければならないため、プラスになる。さらに、図２による切断機構は、もう一方の分岐がまだアクティブである限り機能する。
【００８８】
[0094]  図３によるスタータ回路では、図１の比較器１３０の代わりに、インバータ３８６だけでなく、非同期のアクティブローリセット入力３３５、３８５を有する２つのＤフリップフロップもまた設けられている。前記構成部品は、エッジトリガ型セット−リセットフリップフロップを形成している。
【００８９】
[0095]  この場合、第１のフリップフロップ３３５の出力は、そのクロック入力のポジティブエッジによって、論理１にセットできることが必須である。これは、図３による実施形態によれば、Ｖｉｎ１に等しい。さらに、前記フリップフロップは、第２のＤフリップフロップ３８５のクロック入力のポジティブエッジによって、再びリセット、すなわち、図３による実施形態によれば接地されている論理０にすることができる。原則として、この機能性を有する論理ゲートの他の配線構成もまた、当然可能である。
【００９０】
[0096]  以下でもやはり、Ｖｉｎ２はＶｉｎ１よりも大きいと仮定されている。ここに示される実施形態では、第２の始動トランジスタ３５４のゲート電圧は振動し、一方、第１の始動トランジスタ３０４のゲート電圧は、抵抗器３０９があるため、Ｖｉｎ１にある。第２の始動トランジスタ３５４のゲート電圧は、この第２のＤフリップフロップ３８５のクロック入力でもまた印加されるが、これは、通常、前記第２のＤフリップフロップ３８５の供給電圧限界を超える振幅を有する。したがって、前記電圧は発振信号の検出に適している。
【００９１】
[0097]  前記スタータ回路が始動されるとき、Ｄフリップフロップ３３５、３８５が指定されていない状態は、原則として、２つの状況が考慮されるべきであることを意味する。
【００９２】
[0098]  スタータ回路が始動された後は、Ｖｉｎ１＿ｈｉｇｈは論理１にある。これは、そこでの電圧がＶｉｎ１であることを意味する。供給電圧が図示されたＤフリップフロップ３３５、３８５の組み合わせに十分になるとすぐに、Ｑ出力は、第２のＤフリップフロップ３８５のクロック入力で立ち上がりエッジの論理１にセットされる。前記立ち上がりエッジは、下側の分岐で振動する第２の発振器によって生成される。第２のＤフリップフロップ３８５のＱ出力をセットすると、インバータ３８６によって、第１のＤフリップフロップ３３５のＲＮ入力で論理０が適用される。したがって、前記第１のフリップフロップ３３５のＱ出力もまた論理０であり、これがここでＶｉｎ１＿ｈｉｇｈに対応する。したがって、論理０もまた、第２のＤフリップフロップ３８５のＲＮ入力で適用され、その結果、前記フリップフロップのＱ出力もまた論理０に接続される。インバータ３８６があるため、論理１は、ここで第１のＤフリップフロップ３３５のＤ入力及びＲＮ入力の両方で適用され、その結果、安定した状態が実現される。
【００９３】
[0099]  第２の代替選択肢は、スタータ回路が始動された後は、Ｖｉｎ１＿ｈｉｇｈが、接地に対応する論理０になることである。これはすでに正しい状態であるため、他には何も変わらない。
【００９４】
[0100]  インバータ３３１及びＯＲゲート３３２はここで、第１の停止トランジスタ３２２によって、第１の始動トランジスタ３０４のゲートを接地にセットし、その結果、第１の発振器を可能な限り早く非アクティブ化することができる。
【００９５】
[0101]  Ｖｉｎ１がＶｉｎ２よりも大きい場合、同じ制御システムがスタータ回路の第２の分岐に対して同様に実施される。
【００９６】
[0102]  この実施形態の利点は、フリップフロップが静的負荷に電力を供給する必要がなく、それぞれの停止トランジスタ３２２、３７２は、該当する上流の高抵抗抵抗器３０９、３５９を通して非常に小さな電流しか流さないので、前記回路は、次に、ＮＭＯＳ  ＦＥＴの閾値電圧を大幅に下回る使用されない分岐を非アクティブ化できることである。このように、２０ｍＶ未満の冷起動電圧を実現することが同様に可能である。
【００９７】
[0103]  前記実施形態のさらなる利点は、使用される信号線が、始動トランジスタ３０４、３５４のゲートに接続されており、したがって、サージ保護がすでに提供されていることである。スタータ回路がもはや動作しなくなり、２つの発振器が切断されるとすぐに、Ｄフリップフロップ３５５、３８５の対応する入力は、通常の動作では、２つの停止トランジスタ３２２、３７２を介して接地に接続され、これにより、高電圧からもまた保護される。
【００９８】
[0104]  本明細書に示されている実施形態の利点、及び２つのＤフリップフロップ３３５、３８５をインバータ３８６に接続することの利点は、両方の分岐が切断されたときでさえも、Ｖｉｎ１＿ｈｉｇｈの状態が第１のＤフリップフロップ３３５に格納されるということである。
【００９９】
[0105]  図４は、２つのフライバックコンバータ回路と関連した図１の上記スタータ回路を示し、図では、それぞれの分岐のフライバックコンバータ回路は、上述した独国特許出願公告第１１  ２０１３  ００５  ０２７  Ｂ４号のものと同様に設計されている。詳細に言えば、この目的のために、半導体スイッチ４２０、抵抗器４２１、ダイオード４１９だけでなく結合キャパシタ４１８もまた、第１の上側の分岐のために追加で設けられている。
【０１００】
[0106]  同じ構成部品、すなわち、第２の半導体スイッチ４７０、第２の抵抗器４７１、第２のダイオード４６９、及び第２の結合キャパシタ４６８もまた、第２の分岐に設けられている。
【０１０１】
[0107]  フライバックコンバータの基本的な動作原理に関しては、図６及び図７を参照して行った上記説明を参照されたい。
【０１０２】
[0108]  コントローラ４１６が、２つのフライバックコンバータを制御するために、この回路に追加で設けられ、そこでは、以下で説明するように、それぞれの場合において、一方のフライバックコンバータがアクティブに動作しており、もう一方は切断されたままである。入力電圧の２つの入力極性のうちの高い方を識別するための比較器４３０は、例えば、図１の比較器１３０又は図３で説明されているような回路とすることができる。電圧検出器４１１は、まだアクティブである始動発振器を切断するために使用されるとともに、十分に高い電圧が存在するときにのみ、コントローラ４１６を動作させるためにもまた使用される。
【０１０３】
[0109]  それぞれの場合において２つの始動発振器のうちの１つだけを動作させ、続いて、充電キャパシタ４０７に十分に高い電圧が印加されたときに、第２の発振器を切断することが可能なやり方は、上記ですでに説明した。比較器４３０の信号並びに２つのドライバ４１７及び４６７と関連して、それぞれの場合においてコントローラ４１６は、正の入力電圧を使用して動作することが可能なフライバックコンバータだけを動作させる。比較器が、例えば、Ｖｉｎ１がＶｉｎ２よりも大きいことを識別する場合、第１のドライバ４１７はアクティブであるが、一方、第２のドライバ４６７はアクティブではなく、したがって、コントローラ４１６の信号は、第２の、下側の分岐に設けられたフライバックコンバータに転送されない。したがって、前記コンバータは動作しない。
【０１０４】
[0110]  前記回路では、そのバルク端子が接地にあるため、２つの半導体スイッチ４２０、４７０の寄生ダイオードに電流が流れない。
【０１０５】
[0111]  図５による実施形態は、上記の図４の両用フライバックコンバータ回路に基づく。図４では、使用されないフライバックコンバータの対応する半導体スイッチ４２０、４７０の寄生ダイオードを通る電流を防止するために、２つの半導体スイッチ４２０、４７０のバルク端子は、接地に接続されている。しかしながら、正のソース−バルク間電圧が存在するため、人体効果が生じる。
【０１０６】
[0112]  前記回路では、半導体スイッチ５２０、５７０のバルク端子は、それぞれの場合において、２つの入力電圧電位のうちの、Ｖｉｎ＿ｍｉｎで表示される低い方の電位に接続されている。この目的のために、図５の回路によれば、今度は高い方の入力電圧電位が比較器５３０によって検出される。接地電位にある信号、すなわち、低い方の入力電位であることを示す信号Ｖｉｎ１＿ｈｉｇｈ又はＶｉｎ２＿ｈｉｇｈは、設けられた２つのＰＭＯＳ  ＦＥＴ５３７、５３８のうちの１つを接続し、次には、Ｖｉｎ＿ｍｉｎを低い方の電位に接続する。
【０１０７】
[0113]  加えて、論理ゲートにはＶｉｎ１及び接地によって電力が供給されるので、トランジスタ５３７のゲート作動のためにレベルシフタ５３６が必要である。レベルシフタ５３６の目的は、トランジスタ５３７が切断されると、電流が流れることができないようにすることである。回路がおよそ１Ｖを超えてしか動作できないこともまた、問題ではない。なぜなら、フライバックコンバータもまた、この時点でしかアクティブに制御、及び始動できないからである。
【０１０８】
[0114]  この回路の利点は、寄生ダイオードに電流が流れず、さらに、人体効果が生じないことである。さらに、電圧源５０１の入力電圧電位間の差の大きさに対して２つの半導体スイッチ５２０、５７０を設計しさえすればよい。
【０１０９】
[0115]  原則として、この回路は、最大でも１ｋＨｚの領域の低周波数の小さなＡＣ電圧に使用することもまた可能である。コントローラ５１６のスイッチング周波数がＡＣ電圧の周波数よりも大幅に高いと仮定すると、これは可能である。
【０１１０】
[0116]  本明細書に記載された解決策により、コスト効率良く実現可能であり、必要とされる始動電圧が低く、且つ、正の温度差又は負の温度差が小さい熱電発生器に使用することが可能な、エネルギー回収回路のためのスタータ回路を明示することが可能になる。
【図１】
2021513833.tif 000008
【図２】
2021513833.tif 000009
【図３】
2021513833.tif 000010
【図４】
2021513833.tif 000011
【図５】
2021513833.tif 000012
【図６】
2021513833.tif 000013
【図７】
2021513833.tif 000014
【国際調査報告】
2021513833.tif 000015
2021513833.tif 000016